(57)【要約】【課題】  簡単な構造の一部材で設けられ、ボトルに取り付けたまま、ボトルの注出口を確実に開閉することができる液体容器用キャップを提供する。【解決手段】  一端部に注出口３２が形成されたボトル２２に注出口３２を覆って取り付けられ、注出口３２に対向する部分に形成された開口部３８を有する。開口部３８にヒンジ部４４を介して開閉自在に設けられている蓋板４２と、蓋板４２が開口部３８を閉じたときに注出口３２に対面する蓋板４２の面に形成された注出口キャップ部４６とを備える。蓋板４２が開口部３８を閉じた状態で、注出口３２に注出口キャップ部４６が水密に嵌められる。【選択図】        図１
2005053526.tif 000002
【特許請求の範囲】
【請求項１】
一端部に注出口が形成されたボトルに上記注出口を覆って取り付けられる液体容器用キャップにおいて、上記液体容器用キャップの上記注出口に対向する部分に形成された開口部と、上記開口部にヒンジ部を介して開閉自在に設けられている蓋板と、上記蓋板が上記開口部を閉じたときに上記注出口に対面する上記蓋板の面に形成された注出口キャップ部とを備え、上記蓋板が上記開口部を閉じた状態で、上記注出口に上記注出口キャップ部が水密に嵌められることを特徴とする液体容器用キャップ。
【請求項２】
上記蓋板には、上記開口部から開いた状態で、上記液体容器用キャップ外側面に係止される係止部が形成されていることを特徴とする請求項１記載の液体容器用キャップ。
【発明の詳細な説明】
【技術分野】
【０００１】
この発明は、かき氷用の液糖などを入れる液体容器に用いられる液体容器用キャップに関する。
【背景技術】
【０００２】
例えば、かき氷用の液糖蜜等をいれる液体容器には、図４に示すように、横断面がオーバルタイプのボトル１がある。ボトル１は、直立可能な有底筒状の収容部２を有し、収容部２の上には液体容器用キャップ３が着脱自在に設けられている。
【０００３】
まず、ボトル１について説明する。ボトル１は、ＰＰやＰＥ等の樹脂を吹き込み成形等により形成された容器であり、収容部２上端部付近には、液体容器用キャップ３を係止する係合溝４が一周して形成されている。係合溝４の上方には、収容部２の開口を閉鎖する上面部５が設けられ、上面部５の中央には、上方に突出する細い筒状の突出部６が設けられている。突出部６は、収容部２に液蜜を入れる流路であり、液蜜を入れた後に突出部６の先端部は溶融して閉鎖される。突出部６の側面の一部には、側方に突出する細い筒状の注出口７が一体に連通して設けられている。注出口７の側面には、後述する注出口用キャップ１２が係止される溝部８が一周して形成されている。注出口７の、溝部８よりも少し先端側には、注出口７をカットして開封するときの切断位置となる断面Ｖ字形の切断溝９が一周して形成されている。
【０００４】
ボトル１の突出部６の基端部付近には、突出部６を囲む環状部を有する紐部材１０が取り付けられ、紐部材１０の先端には注出口用キャップ１２が一体に取り付けられている。注出口用キャップ１２は、注出口７を切断口９で切断して開封した状態で、注出口７に水密に嵌められる。
【０００５】
そして、ボトル１に取り付けられボトル１の上面部５と突出部６を覆う液体容器用キャップ３は、平坦な上面３ａを有し、上面３ａの周囲に側面３ｂが設けられている。側面３ｂの内周面の縁部には、ボトル１の係合溝４に嵌合される係合突起１６が設けられている。
【０００６】
ボトル１の中の液蜜を取り出すときは、液体容器用キャップ３を弾性変形させて外し、注出口７を切断溝９が示す切り込み指示位置でカットして開封する。次に注出口７が下を向くようにボトル１を傾けて液蜜を注ぎ出す。使用後はボトル１の突出部６に紐部１０で備えられている注出口用キャップ１２を突出口７に嵌合・密着させ、さらに液体容器用キャップ３を被せ保存する。
【特許文献１】実公平４−２４８６０号公報
【発明の開示】
【発明が解決しようとする課題】
【０００７】
しかし、上記のボトル１に液糖を充填して出荷する製造ラインでは、液糖を充填し密封した後に、注出口用キャップ１２の紐部１０をボトル１の突出部６にかける手間があり、生産効率が悪く、製造コストもかかっていた。さらに、液糖を出す際は、液体容器用キャップ３を取り外さなければならず、液体容器用キャップ３を床に落としたり紛失したりする恐れがあった。
【０００８】
この発明は上記従来の問題点に鑑みてなされたものであり、簡単な構造の一部材で設けられ、ボトルに取り付けたまま、ボトルの注出口を確実に開閉することができる液体容器用キャップを提供することを目的とする。
【課題を解決するための手段】
【０００９】
本発明は、一端部に注出口が形成されたボトルに上記注出口を覆って取り付けられる液体容器用キャップであって、上記液体容器用キャップの上記注出口に対向する部分に形成された開口部と、上記開口部にヒンジ部を介して開閉自在に設けられている蓋板と、上記蓋板が上記開口部を閉じたときに上記注出口に対面する上記蓋板の面に形成された注出口キャップ部とを備え、上記蓋板が上記開口部を閉じた状態で、上記注出口に上記注出口キャップ部が水密に嵌められる液体容器用キャップである。
【００１０】
また、上記蓋板には、上記開口部から開いた状態で、上記液体容器用キャップ外側面に係止される係止部が形成されている。
【００１１】
この発明の液体容器用キャップは、ヒンジ部を中心に揺動する蓋板に注出口キャップ部が一体に設けられ、蓋板を開閉することにより注出口が開閉されるようにしたものである。
【発明の効果】
【００１２】
本発明の液体容器用キャップは、簡単な構造で確実にボトルの注出口を水密に閉鎖することができる。また、ボトルから内容物を出すときはボトルに取り付けたまま蓋板を開けることにより注出口を開け、注ぎ出すことができ、操作が簡単である。液体容器用キャップの蓋板に注出口キャップ部が一体に設けられているため、部品点数が少なく、製造工程が簡単であり、コストも安価となる。
【発明を実施するための最良の形態】
【００１３】
以下、この発明の実施形態について図面に基づいて説明する。図１〜図３は、この発明の一実施形態を示したものであり、この実施形態の液体容器用キャップ２０は、適度な弾力性を有するＰＰやＰＥ等により一体成形された合成樹脂製のボトル２２に取り付けられる。
【００１４】
ボトル２２は、楕円状の底部と楕円の筒状の側面からなる直立可能な収容部２４を有し、収容部２４の上端部付近には、液体容器用キャップ２０を係止する係合溝２６が一周して形成されている。係合溝２６の上方には、収容部２４の開口を閉鎖する上面部２８が設けられ、上面部２８の中央には、上方に突出する細い筒状の突出部３０が設けられている。突出部３０は、収納部２４に液蜜を入れる流路であり、液蜜を入れた後に突出部３０の先端部は溶融して閉鎖される。突出部３０の側面の一部には、収容部２４の断面形状の、長手方向に突出する注出口３２が、一体に連通して設けられている。注出口３２の側面には、後述する注出口用キャップ部４６が係止される溝部３４が一周して形成されている。注出口３２の、溝部３４よりも少し先端側には、注出口３２をカットして開封するときの切断位置となる断面Ｖ字形の切断溝３６が一周して形成されている。
【００１５】
ボトル２２に取り付けられボトル２２の上面部２８と突出部３０を覆う液体容器用キャップ２０は、平坦な楕円状の上面２０ａを有し、上面２０ａの周囲に側面２０ｂが設けられている。上面２０ａの外側面のほぼ中心には、後述する蓋板４２の係止突起５０が差し込まれ係止される透孔３７が形成されている。側面２０ｂには、側面２０ｂの横断面における楕円の長軸方向に位置する一端部が、切り欠かれて開口部３８が形成されている。開口部３８の上端縁部３８ａは、液体容器用キャップ２０の上面部２８の、長手方向に対して直角に位置する直線状である。開口部３８の両側縁部３８ｂは、開口部３８の上端縁部３８ａ両端から垂直方向に側面２０ｂを下端側に向かって切断した直線状である。開口部３８の下端縁部３８ｃは、側面２０ｂの下端部をわずかに残してほぼ水平に切徐した形状に残されている。開口部３８の下端縁部３８ｃの内側は、上面２０ａに対してほぼ平行な半円状の半円部４０が設けられている。さらに、側面２０ｂの内周面の縁部には、ボトル２２の係合溝２６に嵌合される係合突起４１が設けられている。
【００１６】
開口部３８の上端縁部３８ａには、開口部３８を閉鎖する蓋板４２が薄肉のヒンジ部４４を介して取り付けられている。蓋板４２の開口部３８内側に向く内側面４２ａには、注出口３２に対面する位置に、注出口３２の外側面に対して水密に嵌合する円筒状の注出口キャップ部４６が一体に設けられている。注出口キャップ部４６の先端付近の内周面には、ボトル２２の注出口３２の溝部３４に嵌合される突起４８が一周して設けられている。蓋板４２の、開口部３８の外側に向く外側面４２ｂには、上面２０ａの透孔３７に対向する位置に、透孔３７に差し込まれて係止される係止突起５０が、外側面４２ｂに対して直角に突出して設けられている。蓋板４２の、ヒンジ部４４と反対側の端部４２ｃには、板部４０の内側に差し込まれ板部４０に係止される凸部５１が形成されている。
【００１７】
次に、この実施形態の液体容器用キャップ２０の使用方法について説明する。液体容器用キャップ２０は、ボトル２２が未開封のときは、図３に示すように、注出口３２の切断溝３６がカットされる前であり注出口３２が長い。このため、ボトル２２に液体容器用キャップ２０を被せる工程では、注出口３２に蓋板４２がぶつからないように、注出口３２と反対側に蓋板４２が位置するようにして、ボトル２２に液体容器用キャップ２０を取り付ける。次に、購入者がボトル２２を開封するときは、先ず、液体容器用キャップ２０をボトル２２から弾発的に取り外し、ボトル２２の注出口３２を切断溝３６で切断し、開封する。この後、液体容器用キャップ２０を再び、ボトル２２に取り付ける。このとき、取り付け方向を図３と反対に、つまり注出口３２側に、蓋板４２がくるようにする。
【００１８】
そして、ボトル２２の収容部２４に入れられた液蜜を取り出すときは、液体容器用キャップ２０の蓋板４２を開口部３８から開き、蓋板４２の係止突起５０を上面２０ａの透孔３７に嵌合して係止し、開口部３８を開き注出口３２を露出させる。次に注出口３２が下を向くようにボトル２２を傾けて液蜜を注ぎ出す。使用後は、蓋板４２の係止突起５０を上面２０ａの透孔３７から外し、蓋板４２をヒンジ部４４を中心に揺動させて注出口キャップ部４６により開口部３８を閉じる。このとき、蓋板４２の凸部５１は板部４０の内側に差し込み、係止するとともに、蓋板４２の注出口キャップ部４６が注出口３２の外側に嵌合され、注出口キャップ部４６の突起４８が注出口３２の溝部３４に嵌合して、水密に閉鎖する。
【００１９】
この実施形態の液体容器用キャップ２０によれば、簡単な構造で注出口３２を水密に閉鎖することができる。また、ボトル２２から液蜜等の内容物を出すときはボトル２２に取り付けたまま蓋板４２を開けることにより注出口３２を開け、注ぎ出すことができ、操作が簡単である。液体容器用キャップ２０はボトル２２に取り付けられたまま、内容物の取り出しをするため、紛失や床への落下の恐れがなく、衛生的で管理が容易である。液体容器用キャップ２０の蓋板４２に注出口キャップ部４６が一体に設けられているため、部品点数が少なく、製造工程が簡単であり、コストも安価となる。蓋板４２は、内容物を取り出すときに上面２０ａに係止されるため、注出口３２から注ぎ出す内容物で汚れたり支障となることがなく、衛生的であり、注出口３２を確認しながら液糖を注ぐことができる。
【００２０】
なお、この発明の液体容器用キャップは、上記実施形態に限定されるものではなく、各部材の形状は自由であり、各部材の係止手段の構造やヒンジ部の構造は、確実に係止され、また確実に曲げることができるものであれば良い。また、各部材の素材は自由に設定することができ、液蜜用の液体容器以外にも利用することができる。液体容器用キャップを取り付けるボトルは、断面が楕円以外に円形や矩形でもよく、液体容器用キャップはボトルの形状に合わせて適宜変更することができる。
【図面の簡単な説明】
【００２１】
【図１】この発明の一実施形態の液体容器用キャップの縦断面図である。
【図２】この実施形態の液体容器用キャップの蓋板を閉鎖した状態を示す縦断面図である。
【図３】この実施形態の液体容器用キャップの開封する前の状態を示す上面図である。
【図４】従来の技術の液体容器用キャップの縦断面図である。
【符号の説明】
【００２２】
２０  液体容器用キャップ
２２  ボトル
２４  収容部
２６  係合溝
２８  上面部
３０  突出部
３２  注出口
３４  溝部
３６  切断溝
３８  開口部
４０  板部
４１  係合突起
４２  蓋板
４４  ヒンジ部
４６  注出口キャップ部
４８  突起
５０  係止突起
５１  凸部
【図１】
2005053526.tif 000003
【図２】
2005053526.tif 000004
【図３】
2005053526.tif 000005
【図４】
2005053526.tif 000006